(57)【特許請求の範囲】
【請求項１】
テーブル等の天板の下面を支持する支持脚であって、上下方向を向く脚柱と、該脚柱の上端に設けられ、周縁部に複数の上向係合部を有するとともに、上面の中央部に軸状の上向突部を突設してなる台座と、前記互いに隣接する少なくとも２個の上向係合部間に基端部が嵌合されるとともに、この嵌合部より内方の基端部の両側に、外面が前記隣接する２個の上向係合部の内面と係合する１対の被係合部を有し、かつ両被係合部を含む基端部の内面を、上方に向かって漸次外方に傾斜する傾斜面とした水平方向を向く天板支持部材と、前記台座と天板支持部材の基端部の上面に載置され、下面の中央部に、外周面が前記傾斜面と同角度で上方に向かって漸次外方に傾斜する傾斜面をなす下向突部を有するとともに、該下向突部に、前記上向突部に上方より嵌合可能な嵌合孔を形成してなる天板受座とを備え、該天板受座における嵌合孔を前記台座の上向突部に嵌合させて、天板受座を締付手段をもって前記支柱に固定することにより、該天板受座における下向突部の傾斜面により、前記天板支持部材の内面の傾斜面を外向きに押圧するようにしたことを特徴とするテーブル等における天板の支持脚。
【請求項２】
台座の上向突部と、天板受座の嵌合孔とを、互いに補形をなす截頭円錐形とした請求項１に記載のテーブル等における天板の支持脚。
【請求項３】
天板受座の下向突部を、逆截頭円錐形とするとともに、その外周面に当接する天板支持部材の内面を、円弧状の傾斜面とした請求項１または２に記載のテーブル等における天板の支持脚。
【請求項４】
天板支持部材における基端部と被係合部の下部内面を、台座の上向突部の下部外周面の一部と補形をなしてそれに当接するようにした請求項１ないし３のいずれかに記載のテーブル等における天板の支持脚。
【請求項５】
台座の上向係合部の内面と、天板支持部材の被係合部の外面との互いの当接面を、上方に向かって漸次外方に傾斜する傾斜面とした請求項１ないし４のいずれかに記載のテーブル等における天板の支持脚。
【請求項６】
天板支持部材の基端部における両被係合部との間の中央部に、互いに隣接する３個の上向係合部のうちの中央の上向係合部に係合可能な、それと補形をなす係合孔を設けた請求項１ないし５のいずれかに記載のテーブル等における天板の支持脚。
【請求項７】
天板支持部材を有しない互いに隣接する上向係合部間に、天板支持部材の基端部及び被係合部と同形をなす閉塞部材を嵌合した請求項１ないし６のいずれかに記載のテーブル等における天板の支持脚。
【請求項８】
締付手段を、天板受座の下向突部と台座の上向突部との中心に設けた挿通孔と、脚柱の中心の円筒状部とに挿通され、天板受座の上端又は脚柱の下端において、ナットもしくはめねじに螺合される上下方向に長寸のボルトとした請求項１ないし７のいずれかに記載のテーブル等における天板の支持脚。
【発明の詳細な説明】
【技術分野】
【０００１】
本発明は、テーブル等の天板の下面に取付けられる天板の支持脚に関する。
【背景技術】
【０００２】
この種の天板の支持脚としては、例えば特許文献１に記載されているものがある。
【０００３】
【特許文献１】特開２００２−１９１４４１号公報
【発明の開示】
【発明が解決しようとする課題】
【０００４】
上記特許文献に記載されている支持脚においては、脚柱の上端に設けた天板受座と、これに取付けられる天板支持体との対向面に、凹部と凸部を設け、これらを互いに嵌合するとともに、脚柱の外周面に天板支持体の内面を当接した状態で、ボルトにより固定している。そのため、凹部と凸部との嵌合面積が小さく、大きな取付強度を得るのが難しかった。
【０００５】
また、天板支持体が下方に落下してしまうため、それを片手で押えながらボルト止めしたり、天板を床面に裏返しに置いた状態で取付作業を行う必要があるため、作業性が悪かった。
【０００６】
上記特許文献１において、従来技術として開示されている図６及び図７に示す支持脚もあるが、図６の支持脚は、天板支持体の基部の外面が、脚柱の内面と面接触しているので、外力が天板支持体に加わると横ずれし易く、また図７の支持脚は、脚柱連結体とフランジとが単にボルトにより結合されているので、ねじ孔とボルトの挿通孔とを合わせる作業に手間がかかるという問題を有している。
【０００７】
本発明は、上記問題点を解決するためになされたもので、脚柱の上端に、天板支持部材を、強固にかつ容易に固定し得るようにしたテーブル等における天板の支持脚を提供することを目的としている。
【課題を解決するための手段】
【０００８】
上記目的を達成するために、本発明の請求項１に記載のテーブル等における天板の支持脚は、テーブル等の天板の下面を支持する支持脚であって、上下方向を向く脚柱と、該脚柱の上端に設けられ、周縁部に複数の上向係合部を有するとともに、上面の中央部に軸状の上向突部を突設してなる台座と、前記互いに隣接する少なくとも２個の上向係合部間に基端部が嵌合されるとともに、この嵌合部より内方の基端部の両側に、外面が前記隣接する２個の上向係合部の内面と係合する１対の被係合部を有し、かつ両被係合部を含む基端部の内面を、上方に向かって漸次外方に傾斜する傾斜面とした水平方向を向く天板支持部材と、前記台座と天板支持部材の基端部の上面に載置され、下面の中央部に、外周面が前記傾斜面と同角度で上方に向かって漸次外方に傾斜する傾斜面をなす下向突部を有するとともに、該下向突部に、前記上向突部に上方より嵌合可能な嵌合孔を形成してなる天板受座とを備え、該天板受座における嵌合孔を前記台座の上向突部に嵌合させて、天板受座を締付手段をもって前記支柱に固定することにより、該天板受座における下向突部の傾斜面により、前記天板支持部材の内面の傾斜面を外向きに押圧するようにしたことを特徴としている。
この特徴によれば、天板受座を締付けると、その下向突部の外周面の傾斜面により、天板支持部材の基端部の内面の傾斜面が外向きに強圧されて、基端部の両側の被係合部の外面が台座の２個の上向係合部の内面と強く係合するため、天板支持部材は、脚柱の上端の台座に強固に固定される。
また、天板支持部材の基端部を、台座における隣接する上向係合部間に上方より嵌合すると、両上向係合部の内面に１対の被係合部の外面が当接して天板支持部材の落下が防止され、かつ位置決めした状態で固定し得るので、作業性が極めてよい。
【０００９】
本発明の請求項２に記載の天板の支持脚は、請求項１に記載の天板の支持脚であって、台座の上向突部と、天板受座の嵌合孔とを、互いに補形をなす截頭円錐形としたことを特徴としている。
この特徴によれば、天板受座が、求心作用によりがたなく安定して台座の上向突部に嵌合して固定されるので、天板支持部材も均一に押圧されて固定されるようになる。
【００１０】
本発明の請求項３に記載の天板の支持脚は、請求項１または２に記載の天板の支持脚であって、天板受座の下向突部を、逆截頭円錐形とするとともに、その外周面に当接する天板支持部材の内面を、円弧状の傾斜面としたことを特徴としている。
この特徴によれば、天板受座を、天板支持部材がどの位置にあっても位置決めする必要はなく、かつ天板支持部材の傾斜面との接触面積が増大するので、これを、より強固に押圧して固定することができる。
【００１１】
本発明の請求項４に記載の天板の支持脚は、請求項１ないし３のいずれかに記載の天板の支持脚であって、天板支持部材における基端部と被係合部の下部内面を、台座の上向突部の下部外周面の一部と補形をなしてそれに当接するようにしたことを特徴としている。
この特徴によれば、万一締付手段が緩んでも、天板支持部材が、台座の中心方向へ位置ずれするのが防止される。
【００１２】
本発明の請求項５に記載の天板の支持脚は、請求項１ないし４のいずれかに記載の天板の支持脚であって、台座の上向係合部の内面と、天板支持部材の被係合部の外面との互いの当接面を、上方に向かって漸次外方に傾斜する傾斜面としたことを特徴としている。
この特徴によれば、台座の上向係合部と、天板支持部材の被係合部との圧接力が増大するので、天板支持部材がさらに強固に固定される。
【００１３】
本発明の請求項６に記載の天板の支持脚は、請求項１ないし５のいずれかに記載の天板の支持脚であって、天板支持部材の基端部における両被係合部との間の中央部に、互いに隣接する３個の上向係合部のうちの中央の上向係合部に係合可能な、それと補形をなす係合孔を設けたことを特徴としている。
この特徴によれば、天板支持部材の基端部が、両側部の被係合部と中央部の係合孔との３個所で、台座の３個の上向係合部と係合するので、天板支持部材を、より強固にかつ安定して固定することができる。
【００１４】
本発明の請求項７に記載の天板の支持脚は、請求項１ないし６のいずれかに記載の天板の支持脚であって、天板支持部材を有しない互いに隣接する上向係合部間に、天板支持部材の基端部及び被係合部と同形をなす閉塞部材を嵌合したことを特徴としている。
この特徴によれば、天板支持部材を有しない上向係合部間の隙間が、閉塞部材により体裁よく塞がれるとともに、天板支持部材と閉塞部材とが均一に押圧されるようになるので、複数設けた天板支持部材の固定強度にばらつきが生じることはない。
【００１５】
本発明の請求項８に記載の天板の支持脚は、請求項１ないし７のいずれかに記載の天板の支持脚であって、締付手段を、天板受座の下向突部と台座の上向突部との中心に設けた挿通孔と、脚柱の中心の円筒状部とに挿通され、天板受座の上端又は脚柱の下端において、ナットもしくはめねじに螺合される上下方向に長寸のボルトとしたことを特徴としている。
この特徴によれば、１本の長寸のボルトにより、支持脚を構成する全ての部材を結合し得るとともに、脚柱の中心部にボルトが挿通しているので、脚柱の強度を大とすることができる。
【発明を実施するための最良の形態】
【００１６】
以下、本発明の実施形態を図面に基づいて説明する。
【００１７】
図１は、本発明の第１の実施形態の支持脚を備えるテーブルを、下方より見た斜視図で、テーブル１の天板２の下面の四隅部は、上下方向を向く４本の支持脚３と、それらの上端同士を互いに連結している前後左右方向を向く複数の連結杆４とにより支持されている。
【００１８】
各支持脚３は、図２ないし図６に示すように、アルミニウム合金等の押し出し成形品よりなる筒状の脚柱５と、この上端に取付けられる脚柱５とほぼ同径のアルミニウム合金製の台座６と、この台座６に互いに直交する放射方向を向くように取付けられるアルミニウム合金製の３個の天板支持部材７と、台座６及び各天板支持部材７の基端部上面に載置されて固定される天板受座８と、下端部が雄ねじ９ａとなっている上下方向に長寸のボルト９とを備えている。
【００１９】
脚柱５の中心には、ボルト９挿通用の挿通孔を有する欠円筒部１０が、４本のリブ１１を介して脚柱５の内面に一体的に結合されている。また、１２は、脚柱５の下端の開口部を塞ぐキャップで、上面中央に立設された筒状嵌合部１２ａが、上記欠円筒部１０の下端部に嵌合されるようになっている。筒状嵌合部１２ａの内面の上下部には、上記ボルト９の雄ねじ９ａが螺合される雌ねじ１３と、キャップ１２の下方に設けられるアジャスタ１４の上面中央の雄ねじ１４ａが螺合される雌ねじ１５が形成されている。
【００２０】
台座６の周縁部上面には、４個の同形状をなす上向係合部１６が、円周方向に９０°間隔おきに一体的に連設されている。各上向係合部１６の内面１６ａは、上方に向かって漸次外方（離心方向）に傾斜する円弧状の傾斜面とされている。
【００２１】
台座６の上面中央には、中心にボルト９の挿通孔１７を有するとともに、外径が漸次下方に向かって大径をなす載頭円錐形の上向突部１８が一体的に突設されている。また、下面中央には、図６の断面図に示すように、脚柱５の欠円筒部１０の上端部内に嵌合される筒状突部１９と、互いに隣接するリブ１１の内端部間に嵌合される位置決め用の突片２０とが突設されている。
【００２２】
上記各天板支持部材７は、台座６側の取付部７ａが側面視概ね倒立Ｌ字状をなし、その外端面には、連結杆４を連結するための上向コ字状の連結部７ｂが一体的に連設されている。
【００２３】
取付部７ａの上端部の台座６側に延出する基端部２１は、台座６における互いに隣接する上向係合部１６間にがたなく嵌合されるようになっており、また基端部２１の内端部の両側には、外面が隣接する上向係合部１６の内面１６ａにおける円周方向のほぼ半分と当接する１対の被係合部２２，２２が突設されている。
【００２４】
両被係合部２２の外面は、上向係合部１６の内面と等しい円弧状の傾斜面とされ、それら同士が互いに当接するようになっている。被係合部２２を含む基端部２１の内面２３は、上方に向かって漸次外方（離心方向）に傾斜する円弧状の傾斜面（テーパ面）とされ、かつその下端は、台座６の上向突部１８の下端の外周面と補形をなして当接するようになっている。
【００２５】
すなわち、基端部２１を隣接する上向係合部１６間に嵌合するとともに、両被係合部２２を上向係合部１６の内面１６ａに当接させると、基端部２１の内面２３の下端が、上向突部１８の下端の外周面と当接又は近接し、天板支持部材７が内方に移動するのが防止されるとともに、固定前に位置決めし得るようになっている。
【００２６】
２４は、台座６における天板支持部材７を有しない上向係合部１６間に嵌合される閉塞部材で、天板支持部材７の基端部２１とほぼ同形をなすとともに、それと同じ被係合部２２と傾斜状の内面２３を有している。
【００２７】
各天板支持部材７の基端部２１と閉塞部材２４の上面中央には、図３の２点鎖線で示すように、天板受座８の下面に突設した４個の凸部２５が嵌合される位置決め用の凹部２６が形成されている。
【００２８】
図３に示すように、各天板支持部材７及び閉塞部材２４を、台座６の互いに隣接する上向係合部１６間に嵌合すると、それらの内面２３と台座６の上向突部１８との間に、上方に向かって漸次拡径するテーパ状の嵌合凹部２７が形成される。
【００２９】
上記天板受座８は、方形の板状をなし、中央部には、ボルト９の頭部が嵌合される有底孔２８と、ボルト９の軸部が挿通する挿通孔２９が、互いに連通して穿設されている。また四隅部には、図４に示すように、天板２に固定するためのボルト３０挿入用の取付孔３１が穿設されている。
【００３０】
図３の２点鎖線及び図６の断面図に示すように、天板受座８の下面中央には、外周面が各天板支持部材７の基端部２１の内面２３と同一角度の傾斜面（テーパ面）をなす逆載頭円錐形の下向突部３２が一体的に突設されている。この下向突部３２の内部には、上記台座６の上向突部１８と補形をなす載頭円錐形の嵌合孔（テーパ孔）３３が、ボルト挿通孔１７，２９と同心的に形成されている。上向突部１８に嵌合孔３３を嵌合すると、下向突部３２の外周面が、上述したテーパ状の嵌合凹部２７内において、各天板支持部材７の基端部２１と閉塞部材２４の内面２３に当接するようになっている。
【００３１】
天板受座８の外周部は、内向傾斜の傾斜面３４とされ、この傾斜面３４は、図６に示すように、各天板支持部材７の取付部７ａの上面に突設された突片３５の内面の傾斜受面３６と当接するようになっている。
【００３２】
次に、上記第１の実施形態の支持脚３の組み立て手順について説明する。
【００３３】
まず、脚柱５の上端に台座６を位置決めして載置した後、図３に示すように、その互いに隣接する上向係合部１６間に、３個の天板支持部材７の基端部２１と閉塞部材２４とを順次上方より嵌合する。この際、各天板支持部材７と閉塞部材２４の１対の被係合部２２の外面が、隣接する上向係合部１６の内面１６ａと当接するので、それらが台座６より落下する恐れはなく、その後の作業性が容易となる。
【００３４】
次いで、天板受座８を、その下面の凸部２５と各天板支持部材７及び閉塞部材２４の凹部２６とを位置合わせしながら、下面の下向突部３２の嵌合孔３３を、台座６の上向突部１８に嵌合する。
【００３５】
次いで、長寸のボルト９を、ワッシャ３７を介して天板受座８の挿通孔２９に上方より挿入し、台座６の挿通１７と脚柱５の欠円筒部１０を挿通して、下端部の雄ねじ９ａを、キャップ１２における筒状嵌合部１２ａ内の上半部の雌ねじ１３に螺合し、強く締付ける。
【００３６】
図４ないし図６は、この状態を示すもので、ボルト９の締付時において天板受座８の下向突部３２の外周面が、各天板支持部材７及び閉塞部材２４の内面２３と強く圧接し、それらを図５の矢印で示すように、外方（放射方向）に強圧することにより、被係合部２２の外面が上向係合部１６の内面１６ａと強く係合し、各天板支持部材７と閉塞部材２４は、台座６すなわち脚柱５の上端に強固に固定される。
【００３７】
この際、天板支持部材７を有しない上向係合部１６間には、閉塞部材２４が嵌合され、かつ各天板支持部７と閉塞部材２４の内面２３は、それと同一傾斜の逆截頭円錐形の下向突部３２により均一に押圧されるので、各天板支持部材７の固定強度にばらつきが生じることはない。
【００３８】
このようにして、支持脚３を組立てた後、図４に示すように、各天板支持部材７の連結部７ｂには、連結杆４の端部が嵌合され、図示しないボルトにより互いに連結される。また、天板受座８は、その四隅部が、ボルト３０により天板２の下面に固着される。
【００３９】
図７は、本発明の第２の実施形態の支持脚３８を備えるテーブル１を、下方より見た斜視図である。なお、第２の実施形態の支持脚３８は、天板支持部材３９の形状が異なるとともに、脚柱５と台座６がほぼ角形をなすので、その他の構成は、上記第１の実施形態と同じであるため、同一構成の部分には上記と同じ符号を付して、その詳細な説明を省略する。
【００４０】
図８ないし図１０に示すように、天板支持部材３９は、上記取付部７ａよりも基部側が幅広の水平をなす取付部３９ａと、その外面に連設された上向コ字状の連結部３９ｂとからなり、取付部３９ａの基端部４０は、上面を若干下方に段落させるとともに、幅寸法を、台座６における互いに対向する上向係合部１６間に嵌合される寸法としてある。
【００４１】
基端部４０の内端部の両側には、外面が、互いに対向する上向係合部１６の内面１６ａのほぼ半分に当接する１対の被係合部４１，４１が連設されている。両被係合部４１を含む基端部４０の内面４２は、天板受座８の下向突部３２（この実施形態では図示略）の外周面と補形をなす半円状の傾斜面（テーパ面）とされている。
【００４２】
基端部４０の中央部には、互いに対向する上向係合部１６との間に設けた上向係合部１６に嵌合される、それと補形をなす係合孔４３が穿設されている。また、この係合孔４３の外方には、天板受座８のコーナー部を基端部４０の上面に載置した際、その取付孔３１と整合するボルト３０（図４参照）の挿通孔４４が穿設されている。
【００４３】
２６，２６は、上記と同様の位置決め用の凹部で、天板受座８の下面の２個の凸部２５が嵌合されるようになっている。また、２４，２４は、上記と同様の閉塞部材で、天板支持部材３９が取付けられない、互いに隣接する上向係合部１６間に嵌合される。
【００４４】
図９は、台座６の各上向係合部１６に、上記天板支持部材３９と２個の閉塞部材２４を係合させて取付けた状態を示す。この状態で、上記第１の実施形態と同じ手順でボルト９により天板受座８を締付けると、図１０の矢印で示すように、天板支持部材３９及び各閉塞部材２４が放射方向に均一に押圧される。
【００４５】
その結果、天板支持部材３９の両被係合部４１と係合孔４３とが、互いに隣接する３個の上向係合部１６と強く係合し、天板支持部材３９は、台座６すなわち脚柱５の上端に強固に固定される。
【００４６】
天板支持部材３９を固定した後、その連結部３９ｂには、図７に示すように、両端部を天板２の隅部に向かって折曲した連結杆４の端部が、ボルト（図示略）により連結される。
【００４７】
以上説明したように、上記第１及び第２の実施形態の支持脚３，３８においては、いずれも、天板受座８をボルト９により脚柱５に締付けるだけで、天板支持部材７，３９を、台座６に強固に固定することができる。
【００４８】
また、天板支持部材７，３９は、その基端部２１，４０を、台座６の隣接する上向係合部１６間に嵌合するだけで、台座６よりの落下が防止されるとともに、位置決めされるので、従来のように、押えながら作業する必要はなく、作業性が極めてよい。
【００４９】
本発明は、上記実施形態に限定されるものではない。
【００５０】
上記実施形態においては、天板受座８の下向突部３２を、逆截頭円錐形をなすものとしたが、第１の実施形態では、図１１に示すように、外周面が上方に向かって外方に傾斜する逆截頭四角錐形をなす形状とし、この内部に、上記実施形態と同様の嵌合孔３３を設けてもよい。この際には、天板支持部材７の内面２３を、逆截頭四角錐形とした下向突部３２の外周面と同角の傾斜面とすればよい。
【００５１】
また、上記実施形態では、上向係合部１６の内面１６ａと、被係合部２２，４１の外面を、上方に向かって漸次外方に傾傾する円弧状の傾斜面としたが、円弧状としないで平らな傾斜面としてもよい。
【００５２】
台座６の上向突部１８を円柱状とするとともに、天板受座８の嵌合孔３３を、円柱状とした上向突部１８と補形をなす上向の凹孔としてもよい。
【００５３】
本発明の支持脚は、上記テーブルの他、机やその他の家具の支持脚にも適用し得ることは勿論である。
【００５４】
また、上記第１の実施形態及び第２の実施形態に記載されていた台座６は、それぞれ平面視形状が脚柱５に対応しているだけで、上向係合部１６及びその内面１６ａの形状は同一であるため、第１の実施形態に記載の天板支持部材７を、第２の実施形態に記載の平面視角形の台座６に嵌合して使用することが可能であるとともに、逆に第２の実施形態に記載の天板支持部材３９を、第１の実施形態に記載の平面視円形の台座６に嵌合して使用することが可能である。
【図面の簡単な説明】
【００５５】
【図１】本発明の第１の実施形態の支持脚を備えるテーブルを下方より見た斜視図である。
【図２】支持脚の分解斜視図である。
【図３】同じく、台座に天板支持部材を嵌合した状態の斜視図である。
【図４】同じく、組立終了後の支持脚の斜視図である。
【図５】同じく、拡大平面図である。
【図６】図４のVI−VI線に沿う拡大縦断面図である。
【図７】本発明の第２の実施形態の支持脚を備えるテーブルを下方より見た斜視図である。
【図８】同じく、支持脚の分解斜視図である。
【図９】同じく、台座に天板支持部材を嵌合した状態の斜視図である。
【図１０】同じく、組立終了後の支持脚の拡大平面図である。
【図１１】天板受座と天板支持部材の変形例を示す斜視図である。
【符号の説明】
【００５６】
１                テーブル
２                天板
３                支持脚
４                連結杆
５                脚柱
６                台座
７                天板支持部材
７ａ              取付部
７ｂ              連結部
８                天板受座
９                ボルト
９ａ              雄ねじ
１０              欠円筒部
１１              リブ
１２              キャップ
１２ａ            筒状嵌合部
１３              雌ねじ
１４              アジャスタ
１４ａ            雄ねじ
１５              雌ねじ
１６              上向係合部
１６ａ            内面
１７              挿通孔
１８              上向突部
１９              筒状突部
２０              突片
２１              基端部
２２              被係合部
２３              内面
２４              閉塞部材
２５              凸部
２６              凹部
２７              嵌合凹部
２８              有底孔
２９              挿通孔
３０              ボルト
３１              取付孔
３２              下向突部
３３              嵌合孔
３４              傾斜面
３５              突片
３６              傾斜受面
３７              ワッシャ
３８              支持脚
３９              天板支持部材
３９ａ            取付部
３９ｂ            連結部
４０              基端部
４１              被係合部
４２              内面
４３              係合孔
４４              挿通孔
【図１】
0004699926.tif 000002
【図２】
0004699926.tif 000003
【図３】
0004699926.tif 000004
【図４】
0004699926.tif 000005
【図５】
0004699926.tif 000006
【図６】
0004699926.tif 000007
【図７】
0004699926.tif 000008
【図８】
0004699926.tif 000009
【図９】
0004699926.tif 000010
【図１０】
0004699926.tif 000011
【図１１】
0004699926.tif 000012